(57)【要約】【課題】  視認性に優れ且つ、低コストでリサイクル性に優れる計器用指針を提供する。【解決手段】  計器用指針１１は、遮光性のキャップ１２と、キャップ１２に覆われた基部１４およびキャップ１２の外側に延出された指示部１５を有する透光性の指針本体１３と、を備え、指針本体１３の基部１４に入射された光が指針本体１３の指示部１５に導光されて指示部１５が光輝する計器用指針であって、指針本体１３の指示部１５の裏面１５ａに光反射加工が施されている。【選択図】        図１
2006349620.tif 000002
【特許請求の範囲】
【請求項１】
遮光性のキャップと、当該キャップに覆われた基部および当該キャップの外側に延出された指示部を有する透光性の指針本体と、を備え、
前記指針本体の基部に入射された光が当該指針本体の指示部に導光されて当該指示部が光輝する計器用指針であって、
前記指針本体の指示部の裏面に光反射加工が施されていることを特徴とする計器用指針。
【請求項２】
前記指針本体の指示部の裏面において前記光反射加工が施された光反射加工域では、光を散乱させることができることを特徴とする請求項１に記載の計器用指針。
【請求項３】
前記指針本体の指示部の裏面に、前記光反射加工域を囲む凹溝または凸条が設けられていることを特徴とする請求項１または請求項２に記載の計器用指針。
【請求項４】
前記指針本体の指示部の表面に、平面視にて前記光反射加工域を囲む凹溝または凸条が設けられていることを特徴とする請求項１または請求項２に記載の計器用指針。
【請求項５】
前記キャップと前記指針本体とが同一の材料からなることを特徴とする請求項１〜４のいずれかに記載の計器用指針。
【請求項６】
前記光反射加工がシボ加工であることを特徴とする請求項１〜５に記載の計器用指針。
【発明の詳細な説明】
【技術分野】
【０００１】
本発明は、例えば自動車等の車両の計器に用いられる計器用指針に関する。
【背景技術】
【０００２】
自動車等の車両には、車両の走行速度やエンジン回転数などを指針により指示するアナログ式の計器が装備されている（例えば、特許文献１参照）。
【０００３】
特許文献１に開示された計器用指針１は、図５および図６に示すように、キャップ２と、キャップ２に組み付けられた指針本体３とを備えている。そして、指針本体３は、キャップ２により覆われた基部４と、キャップ２の外側に延出された指示部５とを有している。キャップ２には、不図示のムーブメントに回転駆動される指針軸６が圧入された指針袴７が設けられており、指針１は、指針軸６周りに回動する。
【０００４】
指針本体３の指示部５は、指針軸６周りの半径方向に沿って延在している。そのため、指針１の重心が指針軸６上に位置するように指針軸６を挟んで指示部５の反対側にウェイト８が配置され、指針１が回動する際のバランスが取られている。
【０００５】
従来、ウェイトには金属片が用いられ、例えばキャップ２の天井壁と指針本体３の基部４との隙間に取り付けられていた。しかし、金属片の取り付け位置に誤差が生じ、指針１全体のバランスに狂いが生じる虞があるため、上記特許文献１においては、ウェイト８がキャップ２に一体に形成されている。
【０００６】
そして、夜間の視認性を高めるべく、例えば上記指針１において、指針本体３を透光性の材料で形成し、指針本体３の基部４に入射した光を指示部５に導光し、指示部５を光輝させるようにしたものが知られている。
【０００７】
指示部が光輝する指針では、通常、指示部の裏面（即ち、目視者に対向する面とは反対側の面であり、上記指針１の指示部５において符号５ａで示される面）にホットスタンプで着色層が形成されている。指示部に導光された光は着色層にて反射し、これにより、指示部が着色層の色に光輝して指針の意匠性が高まると共に、指示部の表面（即ち、目視者に対向する面であり、上記指針１の指示部５において符号５ｂで示される面）から放射される光量が増して指示部の視認性が高まる。
【０００８】
【特許文献１】特開平９−８９６００号公報
【発明の開示】
【発明が解決しようとする課題】
【０００９】
上記特許文献１に開示された指針１は、指針１全体のバランスを取るためのウェイト８が、従来の金属片に替えて、キャップ２に一体に形成されている。このため、指針１を構成する部品の材料の統一を図りやすく、リサイクル性に優れる。
【００１０】
しかしながら、指針本体３の指示部５が光輝するよう、上述のように指示部５の裏面５ａにホットスタンプで着色層を形成した場合に、指針本体３に異種材料が固着することとなり、リサイクルに際して指針本体３からの着色層の分離を要し、よって、リサイクル性が低下する。そして、ホットスタンプに用いる箔の材料費や、ホットスタンプの加工費が余分にかかり、コストが嵩むこととなる。
【００１１】
本発明は、上述した事情に鑑みてなされたものであり、その目的は、視認性に優れ且つ、低コストでリサイクル性に優れる計器用指針を提供することにある。
【課題を解決するための手段】
【００１２】
上記目的は、本発明に係る下記（１）〜（６）に記載の計器用指針により達成される。
【００１３】
（１）遮光性のキャップと、当該キャップに覆われた基部および当該キャップの外側に延出された指示部を有する透光性の指針本体と、を備え、前記指針本体の基部に入射された光が当該指針本体の指示部に導光されて当該指示部が光輝する計器用指針であって、前記指針本体の指示部の裏面に光反射加工が施されていることを特徴とする計器用指針。
【００１４】
（２）前記指針本体の指示部の裏面において前記光反射加工が施された光反射加工域では、光を散乱させることができることを特徴とする上記（１）に記載の計器用指針。
【００１５】
（３）前記指針本体の指示部の裏面に、前記光反射加工域を囲む凹溝または凸条が設けられていることを特徴とする上記（１）または（２）に記載の計器用指針。
【００１６】
（４）前記指針本体の指示部の表面に、平面視にて前記光反射加工域を囲む凹溝または凸条が設けられていることを特徴とする上記（１）または（２）に記載の計器用指針。
【００１７】
（５）前記キャップと前記指針本体とが同一の材料からなることを特徴とする上記（１）〜（４）のいずれかに記載の計器用指針。
【００１８】
（６）前記光反射加工がシボ加工であることを特徴とする上記（１）〜（５）に記載の計器用指針。
【００１９】
上記（１）記載の計器用指針によれば、指針本体の指示部に導光された光が指示部裏面の光反射加工域で反射され、指示部表面から放射される光量が増し、指示部表面の輝度が向上する。これにより、指示部の視認性を高めることができる。
これに伴い、従来必要であった指示部裏面の着色層を省略することができ、着色層を形成するための材料費および加工費をカットして指針の低コスト化を図ることができると共に、リサイクルに際しての指針本体からの着色層の分離工程を不要として指針のリサイクル性を高めることができる。
【００２０】
上記（２）記載の計器用指針によれば、指示部に導光された光が指示部裏面の光反射加工域で散乱されることで指示部全体が均一に光輝する。これにより、指示部の視認性を高めることができる。
【００２１】
上記（３）または（４）記載の計器用指針によれば、指示部の輪郭が際立ち、指示部の視認性をさらに高めることができる。
【００２２】
上記（５）記載の計器用指針によれば、指針を構成する部品の材料を統一して指針のリサイクル性をさらに高めることができる。
【００２３】
上記（６）記載の計器用指針によれば、シボ加工で形成される模様（ランダムな凹凸）により指示部裏面を光反射面とすることができる。
【発明の効果】
【００２４】
本発明によれば、視認性に優れ且つ、低コストでリサイクル性に優れる計器用指針を提供することができる。
【発明を実施するための最良の形態】
【００２５】
以下、本発明に係る好適な実施形態を図面に基づいて詳細に説明する。
【００２６】
図１は本発明の一実施形態である計器用指針の斜視図、図２は図１に示す計器用指針の断面図、図３は図２におけるIII-III矢視断面図である。
【００２７】
図１および図２に示すように、本実施形態の計器用指針１１は、キャップ１２と、キャップ１２に組み付けられた指針本体１３とを備えている。
【００２８】
キャップ１２は、遮光性を有する部材であって、不透明な合成樹脂により一体に形成されている。キャップ１２を形成する合成樹脂材料としては、ジュラコン、ＡＢＳ、ポリカーボネート、等を例示することができる。
【００２９】
キャップ１２は、略円筒状の周壁２１と、周壁２１の上部開口を閉塞している天井壁２２とを有している。天井壁２２の中央部には、周壁２１と同軸に指針袴１７が垂設され、この指針袴１７には、不図示のムーブメントに回転駆動される指針軸１６が圧入されている。周壁２１には、後述する指針本体１３の指示部１５をキャップ１２の外側に延出させるための切欠き２３が設けられている。
【００３０】
指針本体１３は、透光性を有するプリズム部材であって、透明または半透明な合成樹脂により一体に形成されている。指針本体１３を形成する合成樹脂材料としては、アクリル、ポリカーボネート、等を例示することができる。
【００３１】
指針本体１３は、キャップ１２により覆われた基部１４と、キャップ１２の外側に延出された指示部１５とを有している。基部１４の中央部には貫通孔２４が穿設されており、キャップ１２は、指針袴１７を貫通孔２４に挿通させて基部１４に被せられている。指示部１５は、指針軸１６周りの半径方向に沿って基部１４から延設されており、基部１４を覆っているキャップ１２の切欠き２３を通してキャップ１２の外側に延出されている。
【００３２】
指示部１５が指針軸１６周りの半径方向に沿って延在しているため、指針１１の重心が指針軸１６上に位置するように指針軸１６を挟んで指示部１５の反対側に、キャップ１２の周壁２１の一部を肉厚に形成してなるウェイト部１８が配置されている。これにより、指針１１が指針軸１６周りに回動する際のバランスが取られている。
【００３３】
指示部１５は、基部１４に接続している基端部から先端に向かうに従って次第に細くなるように形成されている。そして、指示部１５の基端部には、当該基端部に入射した光を先端部に向けて反射するように傾斜した反射面２５が形成されている。
【００３４】
指示部１５の裏面１５ａには、ほぼ全面にわたって視認可能な光反射加工であるシボ加工が施され、凹凸が形成されている。そして、指示部１５の裏面１５ａには、図３（Ａ）または（Ｂ）に示すように、裏面１５ａのシボ加工域Ａの外周を囲む凹溝２６または凸条２７が設けられている。凹溝２６の深さ、および凸条２７の高さは、いずれも、シボ加工により形成された凹凸の深さ（高さ）よりも十分に大きいものとされている。
【００３５】
上述のように構成された指針１１では、ＬＥＤなどの光源（不図示）が指示部１５の基端部の下方に配置され、当該光源から発せられた光が基部１４の裏面から入射し、入射した光は指示部１５の基端部の反射面２５により指示部１５の先端に向けて反射され、この光を受けて指示部１５が光輝する。
【００３６】
ここで、指示部１５に導光された光は、指示部１５の裏面１５ａのシボ加工域Ａで拡散・乱反射され、指示部１５の表面１５ｂから放射される光量が増すと共に指示部１５全体が均一に光輝する。これにより、指示部１５の視認性が向上する。さらに、シボ加工域Ａの外周を囲むように指示部１５の裏面１５ａに設けられた凹溝２６または凸条２７により指示部１５の輪郭が際立ち、指示部１５の視認性がさらに向上する。
【００３７】
また、上述の指針１１では指示部１５の裏面１５ａに凹溝２６または凸条２７が設けられているが、図３（Ｃ）または（Ｄ）に示すものは、指示部１５の表面１５ｂに凹溝２８または凸条２９が設けられており、これら凹溝２８または凸条２９は、平面視にて裏面１５ａのシボ加工域Ａの外周を囲む。この場合でも、光輝した指示部１５の輪郭が際立ち、指示部１５の視認性がさらに向上する。
【００３８】
また、キャップ１２および指針本体１３を形成する合成樹脂材料が、例えばポリカーボネートで統一された場合には、指針１１のリサイクル性が向上する。この場合、キャップ１２には、着色剤を用いて例えば黒色などに着色されたポリカーボネートが用いられ、指針本体１３には、通常の透明なポリカーボネートが用いられる。
【００３９】
尚、本発明は、上述した実施形態に限定されるものではなく、適宜、変形、改良、等が可能である。その他、上述した実施形態における各構成要素の材質、形状、寸法、数値、形態、数、配置箇所、等は本発明を達成できるものであれば任意であり、限定されない。
【００４０】
例えば、光反射加工はシボ加工のみではなく、図４に示すように、指示部１５の裏面１５ａに細かな複数の傾斜面３０、球面３１、凹溝、等を形成するものであってもよい。
【００４１】
また、スライド式指針など、上述の回動式以外の計器用指針にも本発明は適用することができ、同様の効果を奏する。
【図面の簡単な説明】
【００４２】
【図１】本発明の一実施形態である計器用指針の斜視図である。
【図２】図１に示す計器用指針の断面図である。
【図３】図２におけるIII-III矢視断面図である。
【図４】光反射加工の他の例を示し、（Ａ）は計器用指針の断面図、（Ｂ）は指針本体の指示部の断面図である。
【図５】従来の計器用指針の斜視図である。
【図６】図５に示す計器用指針の断面図である。
【符号の説明】
【００４３】
１１    計器用指針
１２    キャップ
１３    指針本体
１４    基部
１５    指示部
１５ａ  指示部の裏面
２６    凹溝
２７    凸条
【図１】
2006349620.tif 000003
【図２】
2006349620.tif 000004
【図３】
2006349620.tif 000005
【図４】
2006349620.tif 000006
【図５】
2006349620.tif 000007
【図６】
2006349620.tif 000008